(57)【要約】ネットワーク（１００）中の通信転送通知サーバ（ＣＤＮＳ）（１０８）によって、通信セッションを管理するための方法を開示する。本方法には、メッセージを受信する段階（４０４）が含まれる。本方法には、更にフィルタ条件に基づき、通信転送通知を転送元ユーザ装置（１０４）に送る段階（４０６）が含まれる。通信転送通知は、メッセージに応じて送られる。通信転送通知は、転送先ユーザ装置（１０８）への通信セッションの転送を、転送元ユーザ装置に通知する。
2009528789.tif 000002
【特許請求の範囲】
【請求項１】
ネットワークにおける通信セッションの管理方法であって、前記管理方法は通信転送通知サーバによって、
メッセージを受信する段階と、
フィルタ条件に基づき、通信転送通知を転送元ユーザ装置に送る段階と
を含み、
前記通信転送通知は前記メッセージに応じて送られ、
前記通信転送通知は、転送先ユーザ装置への通信セッションの転送について前記転送元ユーザ装置に通知される、管理方法。
【請求項２】
前記管理方法は更に、
前記メッセージを受信することによって前記通信セッションを前記転送先ユーザ装置に転送する段階を含み、
前記通信セッションは、前記転送元ユーザ装置の転送方針に基づき転送される、請求項１記載の管理方法。
【請求項３】
前記フィルタ条件は、前記転送元ユーザ装置のユーザによって定義される、請求項１記載の管理方法。
【請求項４】
前記通信転送通知を送る段階は、所定のレートで前記通信転送通知を配信する段階を含む、請求項１記載の管理方法。
【請求項５】
前記管理方法は更に、
前記転送元ユーザ装置の状態が、電源オフ状態と、前記ネットワークの有効範囲外に存在する状態とのうちの少なくとも１つである場合、前記通信転送通知を記憶する段階と、
前記転送元ユーザ装置の状態が、電源オン状態であり、且つ前記ネットワークの有効範囲内に存在する状態の場合、前記通信転送通知を前記転送元ユーザ装置に送る段階と
を含む、請求項１記載の管理方法。
【請求項６】
通信転送通知サーバであって、前記通信転送通知サーバは、
フィルタ条件を記憶可能なメモリと、
前記フィルタ条件に基づき通信転送通知を生成可能なプロセッサであって、前記通信転送通知は、転送先ユーザ装置への通信セッションの転送について転送元ユーザ装置に通知されることと、
前記通信転送通知を前記転送元ユーザ装置に送信可能な送受信機と
を含む、通信転送通知サーバ。
【請求項７】
前記フィルタ条件は、前記通信転送通知の内容を決定する、請求項６記載の通信転送通知サーバ。
【請求項８】
前記通信転送通知の前記内容は、発呼ユーザ装置に関連する情報、前記転送元ユーザ装置に関連する情報、前記転送先ユーザ装置に関連する情報、前記通信セッションの転送の時間、前記通信セッションの転送の１つまたは複数の理由、および前記通信セッションを転送するための規則が含まれるグループから選択される、請求項６記載の通信転送通知サーバ。
【請求項９】
前記通信転送通知は、拡張可能なマーク付け言語（ＸＭＬ）ベースのスキーマに基づく、請求項６記載の通信転送通知サーバ。
【請求項１０】
前記通信転送通知は通信転送通知サービスによって提供され、
前記通信転送通知サービスは、セッション開始プロトコル（ＳＩＰ）ベースのイベント通知を用いる、請求項６記載の通信転送通知サーバ。
【発明の詳細な説明】
【技術分野】
【０００１】
本発明は、一般的なネットワーク分野に関する。特に、ネットワークにおいて通信セッションを管理するための方法とシステムに関する。
【背景技術】
【０００２】
ネットワーキングと通信の人気が高まり、その結果、通信サービスの数が増えている。そのような通信サービスの例は、通信転送サービスである。この通信転送サービスによって、携帯電話、ラップトップ、携帯情報端末（ＰＤＡ）、およびインターネットプロトコルを介した音声（ＶｏＩＰ）を使用可能な電話等の転送元ユーザ装置（ＵＥ）は、転送元ユーザ装置に向けられた通信セッションを、転送先ユーザ装置または音声レコーダ等の他の宛先に転送できる。
【０００３】
転送元ユーザ装置のユーザは、通信転送サービスを構成し得る。たとえば転送元ユーザ装置のユーザは、毎日、午後１０：００から午前７：００の間の全ての着呼を音声メールに転送する転送方針を定義し得る。通信転送サービスは、更に複雑な状況を取扱うように構成し得る。たとえば着呼がａ＠ａｂｃ．ｃｏｍからであるか、または転送元ユーザ装置のユーザの状態が「会議中」に設定されている場合、着呼は音声レコーダに転送し得る。
【発明の開示】
【発明が解決しようとする課題】
【０００４】
しかし、構成の数と構成の複雑さの増大によって、転送元ユーザ装置のユーザは、異なる状況用の構成を把握できないことがある。
既存の手法では、転送元ユーザ装置のユーザは、通信セッションの転送を示す通信転送表示を受信し得る。この手法は、転送元ユーザ装置のユーザが、通信転送表示を受信すべきか否かしか制御できないため、柔軟性に欠けている。しかし、ユーザは、通信転送表示をカスタマイズできない。たとえばユーザは、転送の時間や発呼ユーザ装置のアドレス等の所望の情報のみを受信するようには、通信転送表示をカスタマイズできない。更にユーザは、通信転送表示を受信するレートを制御できない。更に通信転送表示は、標準フォーマットではないため、異なる製造業者のユーザ装置間で一様に実現できない。
【課題を解決するための手段】
【０００５】
本発明の実施形態によって、ネットワーク中の通信転送通知サーバ（ＣＤＮＳ＝Communication Diversion Notification Server）によって通信セッションを管理する方法について述べる。本方法には、メッセージを受信する段階が含まれる。メッセージは、セッション開始メッセージまたは通信セッションの転送に関する情報を提供する他のメッセージであってよい。本方法には、更にフィルタ条件に基づき、通信転送通知を転送元ユーザ装置（ＵＥ）に送る段階が含まれる。通信転送通知は、メッセージに応じて送られる。通信転送通知は、転送先ユーザ装置への通信セッションの転送について、転送元ユーザ装置に通知する。
【０００６】
本発明の他の実施形態によって、通信転送通知サーバについて述べる。通信転送通知サーバには、メモリ、プロセッサと送受信機が含まれる。メモリはフィルタ条件を記憶する。プロセッサはフィルタ条件に基づき、通信転送通知を生成する。その後、送受信機は、通信転送通知を転送元ユーザ装置に送る。通信転送通知は、転送先ユーザ装置への通信セッションの転送について、転送元ユーザ装置に通知する。
【０００７】
本発明の更に他の実施形態によって、転送元ユーザ装置について述べる。転送元ユーザ装置には、プロセッサと送受信機が含まれる。プロセッサは、通信転送通知サービス用のフィルタ条件を構成する。通信転送通知サービスは、転送元ユーザ装置用の通信セッションが転送先ユーザ装置に転送される場合、通信転送通知を転送元ユーザ装置に提供する。送受信機は、フィルタ条件に基づき、通信転送通知を受信する。
【０００８】
本発明の様々な実施形態に基づく、ネットワークにおいて通信セッションを管理するための特定の方法とシステムについて詳細に述べる前に、本発明は、本来、ネットワークにおいて通信セッションを管理するための方法と、システムに関連する方法ステップと、システム要素との組合せに依拠することに注意されたい。従って、方法ステップとシステム要素は、適宜、図において従来の符号によって表され、本明細書の説明の恩典を有する当業者には明白な細目によって本開示が不明瞭にならないように、本発明の理解に関連する特定の詳細を示すに過ぎない。
【０００９】
本発明は、制限するものとしてではなく、一例として、添付の図に示すが、図では、同様な参照数字は、別個の図全てにおいて同じまたは機能的に同様な要素を指し、また、以下の詳細な説明と共に引用する。
【００１０】
当業者は、図の要素が、簡単明瞭に示されており、必ずしも縮尺通りに描かれていないことを認識されるであろう。たとえば図の要素の中には、本発明の実施形態の理解がより良く理解される一助となるように、他の要素と比較して寸法が誇張された要素がある。
【発明を実施するための最良の形態】
【００１１】
図１は、様々な本発明の実施形態を実践し得る代表的なネットワーク１００を示すブロック図である。ネットワーク１００には、発呼ユーザ装置（ＵＥ）１０２、転送元ユーザ装置１０４、転送先ユーザ装置１０６等の複数のユーザ装置（ＵＥ）、および通信転送通知サーバ（ＣＤＮＳ）１０８が含まれる。ＣＤＮＳは、呼転送通知サーバ（Call Diversion Notification Server）としての通信転送通知サーバ（Communication Diversion Notification Server）である。複数のユーザ装置は、通信セッションを確立することによって、それら自体の間で通信を行う。通常、通信セッションは、通信転送通知サーバ１０８を介して確立される。
【００１２】
転送元ユーザ装置１０４のユーザは、通信転送サービス、たとえば通信転送（ＣＤＩＶ）サービスを構成し得る。これらの通信転送サービスによって、転送元ユーザ装置１０４に向けられた通信セッションを他の宛先に、たとえば転送先ユーザ装置１０６に転送できる。また、通信転送サービスによって、ユーザは、無条件通信転送（ＣＦＵ）サービス、話中通信転送（ＣＦＢ）サービス、ログイン無し時通信転送（ＣＦＮＬ）サービス、通信偏向（ＣＤ）サービス、および応答無し通信転送（ＣＦＮＲ）サービス等の特定のサービスを構成できる。また、ＣＤＩＶサービス等の通信転送サービスによって、ユーザは、転送方針を定義して、通信転送をカスタマイズできる。たとえば転送元ユーザ装置１０４のユーザは、転送方針を定義して、午後１０：００から午前７：００の間の全ての着呼を音声レコーダに転送できる。通常、転送方針は、発呼ユーザ装置１０２の識別子等の要因に基づく。本発明の一実施形態において、通信転送通知サーバ１０８は、転送元ユーザ装置１０４の転送方針に基づき、転送元ユーザ装置１０４に向けられた通信セッションを転送先ユーザ装置１０６に転送する。一実施形態において、通信転送通知サーバ１０８は、転送先ユーザ装置１０６への通信セッションの転送後、通信転送通知を転送元ユーザ装置１０４に送る。本発明の他の実施形態において、通信転送通知サーバ１０８は、転送先ユーザ装置１０６への通信セッションの転送に先立って、通信転送通知を転送元ユーザ装置１０４に送る。更に本発明の他の実施形態において、通信転送通知サーバ１０８は、通信セッションを転送先ユーザ装置１０６に転送しつつ、通信転送通知を転送元ユーザ装置１０４に送る。通信転送通知は、転送先ユーザ装置１０６への通信セッションの転送について転送元ユーザ装置１０４に通知する。
【００１３】
図２は、一実施形態に基づく通信転送通知サーバ１０８を示すブロック図である。通信転送通知サーバ１０８には、転送通知メモリ２０２、転送通知プロセッサ２０４、および転送通知送受信機２０６が含まれる。転送通知メモリ２０２は、フィルタ条件を記憶し、これに基づき、転送通知プロセッサ２０４は、通信転送通知を生成して、転送先ユーザ装置１０６への通信セッションの転送について転送元ユーザ装置１０４に通知する。一実施形態において、フィルタ条件は、転送元ユーザ装置１０４のユーザによって定義し得る。たとえばフィルタ条件は、発呼ユーザ装置１０２から生じた通信セッションが転送される場合にのみ、通信転送通知が転送元ユーザ装置１０４に送られるように定義し得る。通常、フィルタ条件は、通信転送通知サービスへの登録時、定義される。本発明の他の実施形態において、フィルタ条件は、通信転送通知の内容を決定する。通信転送通知の内容には、発呼ユーザ装置１０２に関連する情報、転送元ユーザ装置１０４に関連する情報、転送先ユーザ装置１０６に関連する情報、通信セッションの転送の時間、通信セッションの転送の理由、および通信セッションを転送するための規則を含み得る。たとえば通信転送通知には、発呼ユーザ装置１０２の識別、転送先ユーザ装置１０６の識別、通信セッションが転送された時間、および転送を発生させた規則を含み得る。一実施形態において、規則には、通信セッションの転送をもたらす通信転送規則の識別名が含まれる。
【００１４】
通信転送通知が生成された後、通信転送通知サーバ１０８の転送通知送受信機２０６は、通信転送通知を転送元ユーザ装置１０４に送る。一実施形態において、通信転送通知は、転送元ユーザ装置１０４に所定のレートで送られる。たとえば通信転送通知は、１時間毎に、毎日、リアルタイムに、または定義された時間間隔で送ることができる。所定のレートは、転送元ユーザ装置１０４のユーザによって構成し得る。一実施形態において、通信転送通知のフォーマットは、拡張可能なマーク付け言語（ＸＭＬ）ベースのスキーマに基づく。
【００１５】
一実施形態において、転送通知メモリ２０２には、転送通知バッファ２０８が含まれる。転送通知バッファ２０８は、転送元ユーザ装置１０４が電源オフ状態の時、通信転送通知を記憶する。その後、通信転送通知は、転送元ユーザ装置１０４が電源オン状態の時、転送元ユーザ装置１０４に送られる。本発明の他の実施形態において、転送通知バッファ２０８は、転送元ユーザ装置１０４がネットワーク１００の有効範囲エリア外に存在する時、通信転送通知を記憶する。その後、通信転送通知は、転送元ユーザ装置１０４がネットワーク１００の有効範囲エリア内に入った時、転送元ユーザ装置１０４に送られる。
【００１６】
一実施形態において、通信転送通知サーバ１０８には、１つまたは複数の通信転送通知を処理する転送通知エージェント２１０が含まれる。１つまたは複数の通信転送通知の処理に基づき、転送通知エージェント２１０は、報告を生成するが、この報告は、グラフ、メッセージ、音声メール等の形態であってよい。その後、報告は転送元ユーザ装置１０４に送られる。報告によって、転送元ユーザ装置１０４のユーザは、通信セッションの転送と通信セッションの予想転送との間の不整合を検出可能になる。たとえば転送元ユーザ装置１０４のユーザは、転送方針を誤って構成して、１．５時間の代わりに１５時間の間、全ての着呼を音声メールに転送することがある。転送通知エージェント２１０は、それを以前の転送パターンと比較して、報告を生成する。たとえば報告は、“全ての呼が、これまでの３時間の間、あなたの音声メールに転送されました”を含むテキストメッセージであってよい。報告を受信すると、転送元ユーザ装置１０４のユーザは、通信セッションの転送、すなわち１５時間と、通信セッションの予想転送、すなわち１．５時間との間の不整合を検出し得る。報告は電子ブザー音、転送元ユーザ装置１０４の振動、明滅、テキストメッセージ、転送元ユーザ装置１０４の画面に表示されたアイコン等によって、転送元ユーザ装置１０４のユーザに通知し得る。
【００１７】
本発明の他の実施形態において、転送通知エージェント２１０は、転送元ユーザ装置１０４用の予想通信転送方針を生成し得る。この予想通信転送方針は、転送元ユーザ装置１０４のユーザの以前の通信転送通知、以前の通信転送方針等に基づき得る。
【００１８】
一実施形態において、通信転送通知は、転送元ユーザ装置１０４のユーザが通信転送通知サービスに登録している場合、そのサービスによって提供される。一実施形態において、通信転送通知サービスは、セッション開始プロトコル（ＳＩＰ）ベースのイベント通知を用いる。
【００１９】
図３は、一実施形態に基づく転送元ユーザ装置１０４を示すブロック図である。転送元ユーザ装置１０４には、転送元プロセッサ３０２と転送元送受信機３０４が含まれる。転送元プロセッサ３０２は、通信転送通知サービス用のフィルタ条件を構成し得る。これらのフィルタ条件は、通信転送通知の内容を決定する。通信転送通知の内容には、発呼ユーザ装置１０２に関連する情報、転送元ユーザ装置１０４に関連する情報、転送先ユーザ装置１０６に関連する情報、通信セッションの転送の時間、通信セッションの転送の理由、および通信セッションを転送するための規則を含み得る。一実施形態において、転送元ユーザ装置１０４のユーザは、フィルタ条件を構成し得る。一実施形態において、転送元プロセッサ３０２は、更に通信転送通知を受信するための所定のレートを構成し得る。たとえば通信転送通知は、１時間毎に、毎日、リアルタイムに、または定義された時間間隔で送ることができる。更に所定のレートは、転送元ユーザ装置１０４のユーザによって構成し得る。
【００２０】
一実施形態において、転送元ユーザ装置１０４には、１つまたは複数の通信転送通知を処理する転送元エージェント３０６が含まれる。１つまたは複数の通信転送通知の処理に基づき、転送元エージェント３０６は、報告を生成して、これによって、転送元ユーザ装置１０４のユーザは、通信セッションの転送と通信セッションの予想転送との間の不整合を検出できる。
【００２１】
転送元ユーザ装置１０４には、更に表示メカニズム３０８を含み得る。表示メカニズム３０８は、転送元ユーザ装置１０４のユーザに、通信転送通知に関係する表示を提供する。この表示は、電子ブザー音、振動、アイコン明滅、テキストメッセージ、グラフ、音声メッセージの形態、および転送呼ログの生成によるものであってよい。更に転送元ユーザ装置１０４には、１つまたは複数の通信転送通知を記憶するための転送元メモリ３１０を含み得る。一実施形態において、転送元プロセッサ３０２には、通信転送通知サービスを受ける登録モジュール３１２が含まれる。通信転送通知サービスを受けることによって、転送元ユーザ装置１０４は、通信転送通知を受信可能である。
【００２２】
図４は、一実施形態に基づく、ネットワーク１００における通信転送通知サーバ１０８によって、通信セッションを管理するための方法を示すフローチャートである。ステップ４０２において、本方法が開始される。ステップ４０４において、セッション開始メッセージが受信される。一実施形態において、セッション開始メッセージは、発呼ユーザ装置１０２と転送元ユーザ装置１０４の間の通信セッションを確立する。本発明の他の実施形態において、セッション開始メッセージは、通信セッションの転送に関する情報を通信転送通知サーバ１０８に提供する。一実施形態において、通信セッションは、転送元ユーザ装置１０４の転送方針に基づき、転送先ユーザ装置１０６に転送される。ステップ４０６において、通信転送通知は、フィルタ条件に基づき、転送元ユーザ装置１０４に送られる。通信転送通知は、セッション開始メッセージに応じて送られる。一実施形態において、転送元ユーザ装置１０４のユーザは、フィルタ条件を構成する。通常、フィルタ条件は、通信転送通知の内容を決定する。通信転送通知の内容には、発呼ユーザ装置１０２に関連する情報、転送元ユーザ装置１０４に関連する情報、転送先ユーザ装置１０６に関連する情報、通信セッションの転送の時間、通信セッションの転送の理由、および通信セッションを転送するための規則を含み得る。一実施形態において、通信転送通知は、所定のレートで送られる。通常、通信転送通知は、転送元ユーザ装置１０４が通信転送通知サービスに加入している場合、転送元ユーザ装置１０４に送られる。
【００２３】
一実施形態において、通信セッションの転送に関する詳細を通信転送通知に含むために、様々なタグが、方針記述言語に組込まれる。通常、転送元ユーザ装置１０４のユーザは、方針記述言語をアップロードする際、タグを設定する。一実施形態において、通信転送通知は、ＸＭＬベースのスキーマに基づく。一実施形態において、通信転送通知は、通信転送通知サービスによって提供される。通常、通信転送通知サービスは、セッション開始プロトコル（ＳＩＰ）ベースのイベント通知に基づく。通信転送通知を送った後、本方法は、ステップ４０８で終了する。
【００２４】
図５は、一実施形態に基づく、ネットワーク１００において通信セッションを管理するための方法を示す呼フローチャートである。呼フローは、本発明のいずれか他の適切な実施形態を参照して実現し得ることは理解されるが、図１を参照して、呼フローチャートについて述べる。更に呼フローチャート５００は、図５に示すものより多いまたは少ない数のステップを含み得る。一実施形態において、転送元ユーザ装置１０４は、発呼ユーザ装置１０２から生じる通信セッションを転送先ユーザ装置１０６に転送するように転送方針を定義する。一実施形態において、転送元ユーザ装置１０４は、登録メッセージ５０２を通信転送通知サーバ１０８に送る。登録メッセージ５０２は、転送元ユーザ装置１０４を通信転送通知サービスに登録する。通常、通信転送通知サービスは、セッション開始プロトコル（ＳＩＰ）ベースのイベント通知に基づく。一実施形態において、登録メッセージ５０２には、転送元ユーザ装置１０４のユーザによって定義されたフィルタ条件が含まれる。更に登録メッセージ５０２は、通信転送通知を送るための所定のレートを指定する。
【００２５】
登録メッセージ５０２を受信後、通信転送通知サーバ１０８は、転送元ユーザ装置１０４を通信転送通知サービスに登録する。転送元ユーザ装置１０４が正常に登録されると、通信転送通知サーバ１０８は、確認応答５０４を転送元ユーザ装置１０４に送り、転送元ユーザ装置１０４の登録が正常であることを示す。発呼ユーザ装置１０２は、セッション開始メッセージ５０６を通信転送通知サーバ１０８に送る。一実施形態において、セッション開始メッセージ５０６は、発呼ユーザ装置１０２と転送元ユーザ装置１０４の間に通信セッションを確立する。通常、セッション開始メッセージ５０６を受信後、通信転送通知サーバ１０８は、転送元ユーザ装置１０４の転送方針に基づき、通信セッションを転送先ユーザ装置１０６に転送する。一実施形態において、通信転送通知サーバ１０８は、招待メッセージ５０８を転送先ユーザ装置１０６に送り、通信セッションを転送先ユーザ装置１０６に転送する。通信セッションを転送先ユーザ装置１０６に転送後、通信転送通知サーバ１０８は、通信転送通知５１０を転送元ユーザ装置１０４に送る。通信転送通知５１０を受信後、転送元ユーザ装置１０４は、確認応答５１２を送り、通信転送通知５１０が正常に受信されたことを示す。
【００２６】
一実施形態において、通信転送通知のフォーマットは、ＸＭＬベースのスキーマに基づき得る。本発明の他の実施形態において、通信転送通知に通信セッションの転送の詳細を含むために、様々なタグが、方針記述言語に組込まれる。通常、転送元ユーザ装置１０４のユーザは、方針記述言語のアップロード処理中に、タグを設定する。
【００２７】
図６は、一実施形態に基づく、ＩＭＳネットワーク（インターネットプロトコル・マルチメディアサブシステム・ネットワーク）６００において通信セッションを管理する方法を示す呼フローチャートである。呼フローが、本発明のいずれか他の適切な実施形態を参照して実現し得ることは、当業者には理解されるが、呼フローチャートについて述べるにあたり、図１を参照する。また、呼フローチャートは、図６に示すものより多いまたは少ない数のステップを含み得る。ＩＭＳネットワーク６００には、発呼ユーザ装置１０２、転送元ユーザ装置１０４、転送先ユーザ装置１０６、第１代理ネットワーク業者６０２、サービス提供ネットワーク業者６０４、アプリケーションサーバ（ＡＳ）６０６、および第２代理ネットワーク業者６０８が含まれる。第１代理ネットワーク業者（第１プロキシネットワークエンティティ）６０２は、発呼ユーザ装置１０２をＩＭＳネットワーク６００に接続する。一実施形態において、第１代理ネットワーク業者６０２は、プロキシ通話状態制御機能（Ｐ−ＣＳＣＦ）であってよい。サービス提供ネットワーク業者６０４は、登録、ルーティングおよび許可等のサービスを発呼ユーザ装置１０２、転送元ユーザ装置１０４および転送先ユーザ装置１０６に提供する。通常、サービス提供ネットワーク業者６０４は、サービス提供通話状態制御機能（Ｓ−ＣＳＣＦ）であってよい。アプリケーションサーバ６０６は、転送元ユーザ装置１０４に無条件通話転送（ＣＦＵ）サービス等のアプリケーションサービスを実行して、転送元ユーザ装置１０４への全ての着呼を転送先ユーザ装置１０６に転送する。一実施形態において、アプリケーションサーバ６０６は、通信転送通知サービスを実現する通信転送通知サーバ１０８であってよい。アプリケーションサーバ６０６は、更にルーティングのための初期フィルタ条件（ＩＦＣ）を実装し得る。
【００２８】
一実施形態において、転送元ユーザ装置１０４は、登録メッセージ６１０をアプリケーションサーバ６０６に送る。通常、転送元ユーザ装置１０４は、通信転送通知サービスとＣＦＵサービス等のアプリケーションサービスに加入する。登録メッセージ６１０は、転送元ユーザ装置１０４を通信転送通知サービスに登録する。通常、通信転送通知サービスは、セッション開始プロトコル（ＳＩＰ）ベースのイベント通知に基づく。一実施形態において、登録メッセージ６１０には、転送元ユーザ装置１０４のユーザによって定義されたフィルタ条件が含まれる。更に登録メッセージ６１０は、通信転送通知を送るための所定のレートを指定する。
【００２９】
一実施形態において、通信転送通知のフォーマットは、ＸＭＬベースのスキーマに基づき得る。通常、通信転送通知に通信セッションの転送の詳細を含むために、様々なタグが、方針記述言語に組込まれる。一実施形態において、転送元ユーザ装置１０４のユーザは、方針記述言語のアップロード処理中に、タグを設定する。
【００３０】
登録メッセージ６１０を受信後、アプリケーションサーバ６０６は、転送元ユーザ装置１０４を、通信転送通知サービスに登録する。転送元ユーザ装置１０４が正常に登録された後、アプリケーションサーバ６０６は、確認応答６１２を転送元ユーザ装置１０４に送り、登録が正常に行われたことを示す。発呼ユーザ装置１０２は、セッション開始メッセージ６１４を、第１代理ネットワーク業者６０２に送る。一実施形態においてセッション開始メッセージ６１４は、転送元ユーザ装置１０４との通信セッションを確立する。第１代理ネットワーク業者６０２は、セッション開始メッセージ６１４を受信後、セッション開始メッセージ６１４をサービス提供ネットワーク業者６０４に、メッセージ６１６の形態で転送する。サービス提供ネットワーク業者６０４は、セッション開始メッセージ６１４をアプリケーションサーバ６０６に、メッセージ６１８の形態で転送する。ＣＦＵサービス等の適切なアプリケーションサービスを実行後、アプリケーションサーバ６０６は、転送メッセージ６２０をサービス提供ネットワーク業者６０４に送り、通信セッションの転送を発呼ユーザ装置１０２に示す。サービス提供ネットワーク業者６０４は、転送メッセージ６２０を第１代理ネットワーク業者６０２に、メッセージ６２２の形態で転送する。更に第１代理ネットワーク業者６０２は、転送メッセージ６２０を発呼ユーザ装置１０２に、メッセージ６２４の形態で転送する。
【００３１】
アプリケーションサーバ６０６は、メッセージ６２６をサービス提供ネットワーク業者６０４に送り、発呼ユーザ装置１０２と転送先ユーザ装置１０６の間に通信セッションを確立する。アプリケーションサーバ６０６は、通信セッション転送サービスを実行する。通信セッション転送サービスは、通信セッションの転送を示す通信転送通知６２８を提供する。アプリケーションサーバ６０６は、転送元ユーザ装置１０４用の通信転送通知６２８を、サービス提供ネットワーク業者６０４に送る。サービス提供ネットワーク業者６０４は、通信転送通知６２８を第２代理ネットワーク業者６０８に、メッセージ６３０の形態で転送する。その後に第２代理ネットワーク業者６０８は、通信転送通知６２８を転送元ユーザ装置１０４に、メッセージ６３２の形態で転送する。
【００３２】
メッセージ６２６を受信後、サービス提供ネットワーク業者６０４は、メッセージ６２６を第２代理ネットワーク業者６０８に、メッセージ６３４の形態で転送する。第２代理ネットワーク業者６０８は、メッセージ６２６を転送先ユーザ装置１０６に、メッセージ６３６の形態で転送する。メッセージ６３６を受信後、発呼ユーザ装置１０２と転送先ユーザ装置１０６の間に、通信セッションが確立される。
【００３３】
転送元ユーザ装置１０４は、確認応答６３８を第２代理ネットワーク業者６０８に送る。確認応答６３８はアプリケーションサーバ６０６に向けられ、通信転送通知６２８の受信について通知する。第２代理ネットワーク業者６０８は、確認応答６３８をサービス提供ネットワーク業者６０４に、メッセージ６４０の形態で転送する。最後にサービス提供ネットワーク業者６０４は、確認応答６３８をアプリケーションサーバ６０６に、メッセージ６４２の形態で転送する。
【００３４】
従って、上記開示から明らかなように、本発明は、転送された通信セッションに対応する通信転送通知を送ることによって、ネットワークにおいて通信セッションを管理するための方法を提供する。転送元ユーザ装置のユーザは、通信転送通知をカスタマイズでき、また、それらを受信するレートを制御できる。更に通信転送通知は、標準フォーマットで提供される。標準フォーマットは、異なる製造業者からのユーザ装置間において通信転送通知を一様に実施するのに役立つ。
【００３５】
当業者は、たとえば利用可能な時間、現在の技術、および経済的な要件によって動機付けられる恐らく多大な労力や多くの設計の選択肢にもかかわらず、本明細書に開示された概念と原理によって導かれると、最小の実験作業でそのようなソフトウェア命令やプログラムおよびＩＣを容易に生成し得ることが期待される。
【００３６】
上記明細書において、本発明とその恩典および利点について、特定の実施形態を参照して述べた。しかし、当業者が理解されるように、以下の請求項に記載した本発明の範囲から逸脱することなく、様々な修正と変更を行い得る。従って、明細書と図は、限定的でなく例示的なものとして見なすべきものであり、全てのそのような修正は、本発明の範囲内に含まれるものとする。恩恵、利点、問題の解決策、および何らかの恩恵、利点、または解決策を生じさせるまたはより顕著にさせるあらゆる要素（１つまたは複数）は、全ての請求項の決定的な、必要な、若しくは不可欠な特徴または要素と解釈してはならない。本発明は、添付の請求項によってのみ規定され、本出願の係属中になされるあらゆる補正や発効時のそれら請求項の全ての等価なものが含まれる。
【００３７】
本明細書において、たとえば第１と第２等の関係を示す用語は、１つの業者や動作を他の業者や動作と区別するためだけに用いられるものであり、そのような業者または動作間において、何らかの実際のそのような関係や順番を必ずしも要求したり暗示したりするものでない。用語「含まれる」、「含んでいる」またはそのあらゆる他の派生語は、非排他的な包括を網羅するものであり、一連の要素が含まれるプロセス、方法、物、または装置が、それらの要素だけでなく、明示的に列記されていない他の要素や、このようなプロセス、方法、物、または装置に固有の他の要素も含み得る。「が含まれる」が続く要素は、他の制約条件無しで、その要素が含まれるプロセス、方法、物、または装置における他の同様な要素の存在を除外しない。
【００３８】
本明細書に用いた用語「他の」は、少なくとも第２以上と定義する。本明細書に用いる用語「含む」および／または「有する」は、「含んでいる」と定義する。
【図面の簡単な説明】
【００３９】
【図１】代表的なネットワークを示すブロック図。
【図２】通信転送通知サーバ（ＣＤＮＳ）を示すブロック図。
【図３】転送元ユーザ装置を示すブロック図。
【図４】ネットワーク中の通信転送通知サーバによる、通信セッションの管理方法のフローチャート。
【図５】通信セッションの管理方法を示す呼フローチャート。
【図６】本発明の別例の、インターネットプロトコル・マルチメディアサブシステム（ＩＭＳ）ネットワークにおける通信セッションの管理方法の呼フローチャート。
【図１】
2009528789.tif 000003
【図２】
2009528789.tif 000004
【図３】
2009528789.tif 000005
【図４】
2009528789.tif 000006
【図５】
2009528789.tif 000007
【図６】
2009528789.tif 000008
【国際調査報告】
2009528789.tif 000009